【事件の表示】
　平成　５年特許願第１８４０９７号「情報処理システム」拒絶査定に対する審判事件〔平成　７年　２月１４日出願公開、特開平　７−　４４２５７、請求項の数（９）〕について、次のとおり審決する。
【結　論】
　原査定を取り消す。
　本願の発明は、特許すべきものとする。
【理　由】
１．手続の経緯および本願発明
　
　本願は平成５年７月２６日の出願であって、請求項１乃至９に係る発明（以下、本願発明１乃至９）は、平成８年５月１３日付けの手続補正書によって補正された明細書、図面の記載からみて、特許請求の範囲の請求項１乃至９に記載された以下のものであると認める。
　
【請求項１】
　ＣＰＵ、データを恒久的にストアするためのＲＯＭ、揮発性のメイン・メモリ及びビデオ・メモリ、不揮発性の外部記憶装置並びに表示装置を備え、所定の状態が発生したときに、上記メイン・メモリ及び上記ビデオ・メモリの内容を上記外部記憶装置にセーブしてシステム全体をパワーオフするハイバーネーション機能をサポートする情報処理システムであって、
（ａ）上記所定の状態の発生に応答して、上記ビデオ・メモリの内容を上記外部記憶装置上の第１のブロックにセーブする手段と、
（ｂ）上記手段（ａ）による上記ビデオ・メモリの内容のセーブが完了したことに応答して、上記ビデオ・メモリにアイコン表示用データを書き込み、上記表示装置のスクリーンにアイコンを表示させる手段と、
（ｃ）上記アイコンの表示中に上記メイン・メモリの内容を上記外部記憶装置上の第２のブロックにセーブする手段と、
を具備することを特徴とする情報処理システム。
【請求項２】
　上記メイン・メモリの内容のブロックのアドレス情報と上記ビデオ・メモリの内容のブロックのアドレス情報が、上記外部記憶装置上の所定の領域にストアされることを特徴とする、請求項１記載の情報処理システム。
【請求項３】
　ＣＰＵ、データを恒久的にストアするためのＲＯＭ、揮発性のメイン・メモリ及びビデオ・メモリ、不揮発性の外部記憶装置並びに表示装置を備え、所定の状態が発生したときに、上記メイン・メモリ及び上記ビデオ・メモリの内容を上記外部記憶装置にセーブしてシステム全体をパワーオフするハイバーネーション機能をサポートする情報処理システムであって、
　上記ＲＯＭは上記表示装置のスクリーンの所定領域を占めるイメージのデータをストアしており、
　上記情報処理システムはさらに、
（ａ）上記所定の状態の発生に応答して、上記ビデオ・メモリの内容を上記外部記憶装置上の第１のブロックにセーブする手段と、
（ｂ）上記手段（ａ）による上記ビデオ・メモリの内容のセーブが完了したことに応答して、上記ＲＯＭにストアされたイメージのデータに基づいてアイコン表示用データを生成し且つ上記ビデオ・メモリに書き込み、上記表示装置のスクリーンにアイコンを表示させる手段と、
（ｃ）上記アイコンの表示中に上記メイン・メモリの内容を上記外部記憶装置上の第２のブロックにセーブする手段と、
を具備することを特徴とする情報処理システム。
【請求項４】
　上記手段（ｂ）は、上記メイン・メモリから上記外部記憶装置へのセーブが行われている間も、上記ビデオ・メモリにアクセスしてその内容を書き直し、アイコン・イメージを変化させる手段を具備する
ことを特徴とする、請求項１又は請求項３に記載の情報処理システム。
【請求項５】
　ＣＰＵ、データを恒久的に格納するためのＲＯＭ、揮発性のメイン・メモリ及びビデオ・メモリ、不揮発性の外部記憶装置並びに表示装置を備え、ハイバーネーション・モード中にパワーがオンになったことに応答して、上記メイン・メモリ及び上記ビデオ・メモリの内容を上記外部記憶装置からリストアし、中断されていたタスクを再開するウェーク・アップ機能をサポートする情報処理システムであって、
　上記外部記憶装置上で、上記メイン・メモリの内容は第２のブロックにセーブされ、上記ビデオ・メモリの内容は第１のブロックにセーブされており、
　上記システムはさらに、
（ａ）ハイバーネーション・モード中にパワーがオンになったことに応答して、上記ビデオ・メモリにアイコン表示用データを書き込み、上記表示装置のスクリーンにアイコンを表示させる手段と、
（ｂ）上記アイコンの表示中に、上記メイン・メモリの内容を上記外部記憶装置上の第２のブロックからリストアする手段と、
（ｃ）上記手段（ｂ）によって上記メイン・メモリの内容のリストアが完了したことに応答して、上記ビデオ・メモリの内容を上記外部記憶装置上の第１のブロックからリストアする手段と、
を具備することを特徴とする情報処理システム。
【請求項６】
　上記メイン・メモリの内容のブロックのアドレス情報と上記ビデオ・メモリの内容のブロックのアドレス情報が、上記外部記憶装置上の所定の領域にストアされることを特徴とする、請求項５記載の情報処理システム。
【請求項７】
　ＣＰＵ、データを恒久的に格納するためのＲＯＭ、揮発性のメイン・メモリ及びビデオ・メモリ、不揮発性の外部記憶装置並びに表示装置を備え、ハイバーネーション・モード中にパワーがオンになったことに応答して、上記メイン・メモリ及び上記ビデオ・メモリの内容を上記外部記憶装置からリストアし、中断されていたタスクを再開するウェーク・アップ機能をサポートする情報処理システムであって、
　上記ＲＯＭは上記表示装置のスクリーンの所定領域を占めるイメージのデータをストアし、
　上記外部記憶装置上で、上記メイン・メモリの内容は第２のブロックにセーブされ、上記ビデオ・メモリの内容は第１のブロックにセーブされており、
　上記システムはさらに、
（ａ）ハイバーネーション・モード中にパワーがオンになったことに応答して、上記ＲＯＭにストアされたイメージのデータに基づいてアイコン表示用データを生成し且つ上記ビデオ・メモリに書き込み、上記表示装置のスクリーンにアイコンを表示させる手段と、
（ｂ）上記アイコンの表示中に、上記メイン・メモリの内容を上記外部記憶装置上の第２のブロックからリストアする手段と、
（ｃ）上記手段（ｂ）によって上記メイン・メモリの内容のリストアが完了したことに応答して、上記ビデオ・メモリの内容を上記外部記憶装置上の第１のブロックからリストアする手段と、
を具備することを特徴とする情報処理システム。
【請求項８】
　上記手段（ａ）は、上記外部記憶装置から上記メイン・メモリへリストアが行われている間も、上記ビデオ・メモリにアクセスしてその内容を書き直し、アイコン・イメージを変化させる手段を具備することを特徴とする、請求項５又は請求項７に記載の情報処理システム。
【請求項９】
　ＣＰＵ、データを恒久的にストアするためのＲＯＭ、揮発性のメイン・メモリ及びビデオ・メモリ、不揮発性の外部記憶装置並びに表示装置を備えた情報処理システムにおいて、所定の状態が発生したときに、上記メイン・メモリ及び上記ビデオ・メモリの内容を上記外部記憶装置にセーブしてシステム全体をパワーオフしてハイバーネーション・モードに入り、ハイバーネーション・モード中にパワーがオンになったことに応答して、上記メイン・メモリ及び上記ビデオ・メモリの内容を上記外部記憶装置からリストアし、中断されていたタスクを再開するハイバーネーション／ウェーク・アップ機能を実行するための方法であって、
　ハイバーネーション・モードに入るためのストア動作は、
（ａ）上記所定の状態の発生に応答して、上記ビデオ・メモリの内容を上記外部記憶装置上の第１のブロックにセーブするステップと、
（ｂ）上記ステップ（ａ）における上記ビデオ・メモリの内容のセーブが完了したことに応答して、上記ビデオ・メモリにアイコン表示用データを書き込み、上記表示装置のスクリーンにアイコンを表示させるステップと、
（ｃ）上記アイコンの表示中に、上記メイン・メモリの内容を上記外部記憶装置上の第２のブロックにセーブするステップとを含み、
　ウェーク・アップのためのリストア動作は、
（ｄ）ハイバーネーション・モード中にパワーがオンになったことに応答して、上記ビデオ・メモリにアイコン表示用データを書き込み、上記表示装置のスクリーンにアイコンを表示させるステップと、
（ｅ）上記アイコンの表示中に、上記メイン・メモリの内容を上記外部記憶装置上の第２のブロックからリストアするステップと、
（ｆ）上記ステップ（ｅ）における上記メイン・メモリの内容のリストアが完了したことに応答して、上記ビデオ・メモリの内容を上記外部記憶装置上の第１のブロックからリストアするステップ
を含むことを特徴とするハイバーネーション／ウェーク・アップ方法。
　
　ここで、上記に記載内容から、本願の請求項の各項に記載された発明の関係を整理すると、
　本願発明２乃至４は、本願発明１の情報処理システムの構成を限定する発明であり、
　本願発明５は、本願発明１のシステムにおいてハイバーネーション・モードに入った後、パワー・オンを検出して動作状態に復帰するウェーク・アップ機能をサポートする情報システムに関する発明であり、
　本願発明６乃至８は、本願発明５の情報処理システムの構成を限定する発明であり、
　そして、本願発明９は、本願発明１に示されたハイバーネーションの処理手順および本願発明５に示されたウェーク・アップの処理手順を方法として一つにまとめたものである。
　
　
２．引用刊行物記載の発明
　
　これに対して、原査定の拒絶の理由に引用された特開平０４−１５３８０６号公報（以下、「引用刊行物１」という）には次の事項が記載されている。
　
Ａ．「第１図は本発明による実施例を示したブロック図であり、携帯型パーソナルコンピュータの略図である。プロセッサ１によって中央処理装置の役割を果たし、バスライン３を介して主メモリ２とキーボード入力装置４とタイマ５と表示コントローラ７を制御している。さらに、タイマ５にはブザー６が接続され、ブザー音発生手段となっている。タイマ５は、ブザー６のブザー音周波数を決定するために使用される。」（第２頁左下欄第３乃至１１行より引用）、
　
Ｂ．「アプリケーションソフトを実行しているとき（２００）、電源スイッチオフすると、電源スイッチオフ検出の割り込み（２０１）が発生し、プロセッサの状態を主メモリに保存して電源スイッチオフ処理に制御が移り（２０２）、状態保存手段（２０３）が実行される。状態保存手段（２０３）では、消費電力の大きなデュアルポートメモリで構成されているビデオＲＡＭの内容を消費電力の少ないバックアップメモリに伝送する。次に液晶表示装置、バックライト、ビデオＲＡＭ、プロセッサへの電源供給を停止する（２０４）。このとき、プロセッサ自身も電源供給が停止するため、動作は停止する。しかし、状態保存手段によりバックアップメモリに保存されている内容は、電池により保持されている。
　次に電源スイッチがオンされると（２０５）プロセッサはリセット状態から処理が始まり（２０６）、状態保存手段（２０３）で転送された内容をビデオＲＡＭに復元する（２０７）。ここで状態復元処理が終わったことを使用者に通知するために、ブザーを短く２回鳴らす（２０８）。もちろん短く２回だけである必要はなく、１回、あるいはそれ以上、また長めに鳴らしても効果は変わらないことは明白である。さらに、液晶表示装置にメッセージを表示したり、ＬＥＤランプを明滅させて通知することも可能でり＜原文まま＞、ブザーと併用することによって効果も増す。」（第２頁右下欄第１３行乃至第３頁左上欄第２０行より引用）、
　
　また、同じく拒絶理由で引用された特開昭６２−２４９２２５号公報（以下、「引用刊行物２」という）には次の事項が記載されている。
　
Ｃ．「本発明の目的は、機器に関する情報を表示し、かつマルチタスク環境下での複数処理過程を表示しうる表示装置を実現することである。…（中略）…
　上記目的は、表示画面上に情報処理の対象となる機器やデータファイル等を絵文字として表示してその絵文字の図柄によって、機器に関する情報や情報処理過程をイメージ的に表現することにより達成できる。」（第１頁右下欄第１７行乃至第２頁左上欄第５行より引用）、
　
　同じく拒絶理由で引用された特開平０５−１２７７７０号公報（以下、「引用刊行物３」という）には次の事項が記載されている。
　
Ｄ．「図１は本発明の一実施例の情報処理装置（例えばパーソナルコンピュータ）の回路構成を示す。同図において、１は中央演算処理装置（ＣＰＵ）、２は図２および図３のプログラム等を格納するリード・オンリー・メモリ（ＲＯＭ）、３は作業領域等に用いるランダム・アクセス・メモリ（ＲＡＭ）である。…（中略）…６はビデオ・ランダム・アクセス・メモリ（ＶＲＡＭ）…（中略）…８はディスプレイである。…（中略）…１２はハードディスク・ドライブ（ＨＤＤ）である。１３はＩＣメモリ・インターフェース、１４は着脱可能なメモリとしてのＩＣメモリカードである。１５は電源スイッチ、１６は電源、１７はバス、１８は電源コードである。
　【００１３】上記の構成の情報処理装置において、何らかの情報処理を行っている時に、操作者が電源スイッチ１５を切ると、図２のフローチャートに示した動作が実行される。まず、ステップＳ１で情報処理装置の本体電源スイッチ１５が切られると、ＣＰＵ１に割り込みがかかって、ステップＳ２以下の動作が実行される。
　【００１４】ステップＳ２でＣＰＵ１はＩＣメモリーカード１４へ現在のレジスタに入っているデータを書き込み、ステップＳ３でＲＡＭ３，ＶＲＡＭ６等のメモリにあるデータをＩＣメモリカード１４に書き込み、ステップＳ４でハードディスク１２，フロッピーディスク１０，キーボード１５等の周辺ＩＣ（集積回路）の状態をＩＣメモリカード１４に書き込んで、その後にＣＰＵ１は電源スイッチ１５に対して割り込みに対するアクノリッジ信号を返す。この信号により電源スイッチ１５はハード的に電源１６の供給を止める。
【００１５】情報処理が行われるときに上記のように本体電源１６を切って、その後にレジューム状態になっている情報処理装置の電源スイッチ１５を操作者が入れると、図３のフローチャートに示す動作が実行される。ステップＳ１１で本体電源スイッチ１５が入れられると、電源１６が入り、すべての構成部分に電力が供給される。次のステップＳ１２ではＩＣメモリーカード１４から周辺ＩＣの状態をそれぞれのＩＣに戻し、ステップＳ１３デ＜原文まま＞ＲＡＭ３，ＶＲＡＭ６等のメモリにデータをＩＣメモリカード１４から復帰させ、ステップＳ１４でＣＰＵ１のレジスタにデータをＩＣメモリカード１４から復帰させる。」（第２頁第２欄第２６行乃至第３頁第３欄第１９行より引用）、
　
　同じく拒絶理由で引用された特開平０５−０６６９５１号公報（以下、「引用刊行物４」という）には次の事項が記載されている。
　
Ｅ．「１０１は中央処理装置（以下ＣＰＵと称す）、１０２は本体メモリおよび拡張メモリ、１０３は表示用メモリである。本実施例によれば、このＣＰＵ１０１内のレジスタと全メモリ１０２、１０３の内容を退避時に外部記憶装置１０５に退避する。退避・復帰を行うためのプログラムは、ＲＯＭ１０４内のプログラムにて行う。１０６，１０７は、入出力装置として表示装置、キーボードである。
【００１１】本実施例では、利用者が情報退避の動作を行ったときにＲＯＭ１０４内のプログラムが起動し、当該状態の再現に必要な本体および拡張ＲＡＭの１０２の内容と、表示用ＲＡＭ１０３、ＣＰＵ１０１内の各レジスタ、その他の入出力用レジスタなどの内容を外部記憶装置１０５に退避させるものであるが、この作業は、電源スイッチをオフしたとき以外にも退避を行うことができる構成としてある。」（第２頁第２欄第１７乃至３２行より引用）、
　
　
３．本願発明と引用刊行物記載の発明との対比および相違点の判断
　
　そこで、本願発明１と引用刊行物１乃至４に記載の発明とを比較すると、
　
　何れの引用刊行物記載の発明においても、本願発明１における「（ａ）上記所定の状態の発生に応答して、上記ビデオ・メモリの内容を上記外部記憶装置上の第１のブロックにセーブする手段と、
（ｂ）上記手段（ａ）による上記ビデオ・メモリの内容のセーブが完了したことに応答して、上記ビデオ・メモリにアイコン表示用データを書き込み、上記表示装置のスクリーンにアイコンを表示させる手段と、
（ｃ）上記アイコンの表示中に上記メイン・メモリの内容を上記外部記憶装置上の第２のブロックにセーブする手段」を具備しておらず、また、示唆をもされていない。
　また、上記記載Ａ）乃至Ｅ）の内容から、引用刊行物１乃至４に記載の発明を組み合わせることによって本願発明１が、当業者によって容易に構成し得たとも認められない。
　さらに、「現在ＶＲＡＭに記憶された情報を失わずに、次の情報をＶＲＡＭに転送して表示を行う為に、現在のＶＲＡＭ情報をＲＡＭに退避させる」従来技術（例えば、特開平０４−１５１９４４号公報参照）を参酌しても、該従来技術と引用刊行物１乃至４に記載の発明とを組み合わせることで、本願発明１を当業者が容易に構成し得るとは認められない。
　
　そして、本願発明２乃至４は、本願発明１と「１．手続の経緯および本願発明」の項目に記載の関係を有していることから、本願発明１と同じく、引用刊行物１乃至４に記載の発明および従来技術から当業者が容易に成し得るものではない。
　
　次に、本願発明５と引用刊行物１乃至４に記載の発明とを比較すると、
　
　何れの引用刊行物記載の発明においても、本願発明５における「ａ）ハイバーネーション・モード中にパワーがオンになったことに応答して、上記ビデオ・メモリにアイコン表示用データを書き込み、上記表示装置のスクリーンにアイコンを表示させる手段と、
（ｂ）上記アイコンの表示中に、上記メイン・メモリの内容を上記外部記憶装置上の第２のブロックからリストアする手段と、
（ｃ）上記手段（ｂ）によって上記メイン・メモリの内容のリストアが完了したことに応答して、上記ビデオ・メモリの内容を上記外部記憶装置上の第１のブロックからリストアする手段」を具備する点は開示されておらず、また、示唆をもされていない。
　また、上記記載Ａ）乃至Ｅ）の内容から、引用刊行物１乃至４に記載の発明を組み合わせたとしても、更に、これら引用刊行物記載の発明にＶＲＡＭの使用に関する上記従来技術を組み合わせたとしても、引用刊行物１乃至４に記載の発明から、本願発明が容易に成し得るものであるとは認められない。
　
　そして、本願発明６乃至８は、本願発明５と「１．手続の経緯および本願発明」の項目に記載の関係を有していることから、本願発明５と同じく、引用刊行物１乃至４に記載の発明および従来技術から当業者が容易に成し得るものではない。
　
　次に、本願発明９と引用刊行物１乃至４に記載の発明とを比較すると、
　
　本願発明９は、
「　ハイバーネーション・モードに入るためのストア動作は、
（ａ）上記所定の状態の発生に応答して、上記ビデオ・メモリの内容を上記外部記憶装置上の第１のブロックにセーブするステップと、
（ｂ）上記ステップ（ａ）における上記ビデオ・メモリの内容のセーブが完了したことに応答して、上記ビデオ・メモリにアイコン表示用データを書き込み、上記表示装置のスクリーンにアイコンを表示させるステップと、
（ｃ）上記アイコンの表示中に、上記メイン・メモリの内容を上記外部記憶装置上の第２のブロックにセーブするステップとを含み、
　ウェーク・アップのためのリストア動作は、
（ｄ）ハイバーネーション・モード中にパワーがオンになったことに応答して、上記ビデオ・メモリにアイコン表示用データを書き込み、上記表示装置のスクリーンにアイコンを表示させるステップと、
（ｅ）上記アイコンの表示中に、上記メイン・メモリの内容を上記外部記憶装置上の第２のブロックからリストアするステップと、
（ｆ）上記ステップ（ｅ）における上記メイン・メモリの内容のリストアが完了したことに応答して、上記ビデオ・メモリの内容を上記外部記憶装置上の第１のブロックからリストアするステップ」
　なる構成を有しており、この構成は、上記、本願発明１および本願発明５と、引用刊行物１乃至４に記載の発明との対比で指摘したように、引用刊行物１乃至４に記載の発明には開示されておらず、かつ示唆をもされていない。
　また、上記の如く、従来技術を参酌しても引用刊行物１乃至４に記載の発明を組み合わせることで当業者が容易に成し得るものでもない。
　
　以上のことから、本願発明１乃至９は、引用刊行物１乃至４に記載の発明から当業者が容易に成し得たものではない。
　
　
４．むすび
　
　以上のとおりであるから、本願については、原査定の拒絶の理由を検討してもその理由によって拒絶すべきものとすることはできない。
　また、他に本願を拒絶すべき理由を発見しない。
　
　よって結論のとおり審決する。